(57)【要約】【課題】組立作業性に優れる車両用の電気接続箱を提供する。【解決手段】電気機器の収納空間を形成する複数の壁部と、前記複数の壁部の少なくとも一つに形成される切欠部とを有する容器状のケースと、前記電気機器に接続されるケーブルに貫通されると共に、前記切欠部にスライドにより嵌め込まれることで前記切欠部を塞ぐ部分カバーとを有する車両用の電気接続箱である。前記切欠部に臨む前記ケースの内周縁部は、互いに平行に配置されると共に、前記部分カバーのスライド方向の最大長さよりも短い長さを有する直線状の第一側縁部と、前記第一側縁部の一端同士を一端側に突出するように繋ぐ第一底縁部とを有する。前記部分カバーは、互いに平行に配置されると共に、前記第一側縁部にスライドにより嵌合される直線状の第二側縁部と、前記部分カバーの前記切欠部への嵌め込みにより前記第一底縁部に突き合わされる第二底縁部とを有する。【選択図】図１
2019161926.tif 000002
【特許請求の範囲】
【請求項１】
電気機器の収納空間を形成する複数の壁部と、前記複数の壁部の少なくとも一つに形成される切欠部とを有する容器状のケースと、前記電気機器に接続されるケーブルに貫通されると共に、前記切欠部にスライドにより嵌め込まれることで前記切欠部を塞ぐ部分カバーとを有する車両用の電気接続箱であって、
前記切欠部に臨む前記ケースの内周縁部は、
互いに平行に配置されると共に、前記部分カバーのスライド方向の最大長さよりも短い長さを有する直線状の第一側縁部と、
前記第一側縁部の一端同士を一端側に突出するように繋ぐ第一底縁部とを有し、
前記部分カバーは、
互いに平行に配置されると共に、前記第一側縁部にスライドにより嵌合される直線状の第二側縁部と、
前記部分カバーの前記切欠部への嵌め込みにより前記第一底縁部に突き合わされる第二底縁部とを有する車両用の電気接続箱。
【発明の詳細な説明】
【技術分野】
【０００１】
本発明は、車両用の電気接続箱に関する。特に、容器状のケースに設けられた切欠部に部分カバーをスライドして嵌め合わせる際の組立作業性に優れる車両用の電気接続箱に関する。
【背景技術】
【０００２】
特許文献１は、車両用の電気接続箱を開示する。この電気接続箱は、側壁に切欠部を有するケースと、切欠部にスライドにより嵌入される閉鎖カバーとを備える。より具体的には、ケースの側壁は、互いに一体に形成された外壁部と内壁部とを備える。外壁部には、その上縁部から下方に切り欠かれた外側切欠部を有し、内壁部には、その上縁部から下方に切り欠かれた内側切欠部を有する。閉鎖カバーは、外側切欠部を塞ぐ外側閉鎖壁と、内側切欠部を塞ぐ内側閉鎖壁とを備える。両閉鎖部は一体に形成されている。内側閉鎖壁の左右両端部には止水リブが形成される一方、ケースの内壁部には、その肉厚方向の内方に突出して形成された止水溝を備える。止水リブを止水溝に嵌入することで、内側閉鎖壁は内側切欠部を塞ぐ。
【先行技術文献】
【特許文献】
【０００３】
【特許文献１】特開２０１３−５６２９号公報
【発明の概要】
【発明が解決しようとする課題】
【０００４】
容器状のケースが有する切欠部に対し、スライドにより閉鎖カバーのような部分カバーを嵌め込む際の組立作業性の向上が求められている。
【０００５】
特許文献１に係る電気接続箱では、閉鎖カバーが概ね矩形板状であり、閉鎖カバーを切欠部に嵌入するには、閉鎖カバーの下端（止水リブの下端）をケースの側壁の上縁部よりも上に位置させてから、閉鎖カバーを切欠部の上端(止水溝の上端)から下端(止水溝の下端)までスライドさせる必要がある。つまり、閉鎖カバーを切欠部に嵌入する際、閉鎖カバーのスライド長が長く組付け性が劣る。
【０００６】
一方、電気接続箱には、ワイヤハーネスを構成する電線やケーブル（以下単にケーブルという。）が貫通した状態の部分カバーをケースの切欠部に対して嵌め込む場合がある。閉鎖カバーのスライド長が長いと、スライド長を見込んだケーブルの余長が必要になり、重量増やコストアップを招く。特に、高電圧・大電流に対応したケーブルの場合、太いためケーブルの剛性が高く、そのケーブルと一体に連結された部分カバーを長いスライド長の全長に亘って取り回すことは組立作業性をより悪化させる。
【０００７】
本発明の目的の一つは、スライドにより部分カバーをケースの切欠部に組み付ける際の組立作業性に優れる車両用の電気接続箱を提供することにある。
【課題を解決するための手段】
【０００８】
（１）本発明の一態様に係る電気接続箱は、電気機器の収納空間を形成する複数の壁部と、前記複数の壁部の少なくとも一つに形成される切欠部とを有する容器状のケースと、前記電気機器に接続されるケーブルに貫通されると共に、前記切欠部にスライドにより嵌め込まれることで前記切欠部を塞ぐ部分カバーとを有する車両用の電気接続箱であって、
前記切欠部に臨む前記ケースの内周縁部は、
互いに平行に配置されると共に、前記部分カバーのスライド方向の最大長さよりも短い長さを有する直線状の第一側縁部と、
前記第一側縁部の一端同士を一端側に突出するように繋ぐ第一底縁部とを有し、
前記部分カバーは、
互いに平行に配置されると共に、前記第一側縁部にスライドにより嵌合される直線状の第二側縁部と、
前記部分カバーの前記切欠部への嵌め込みにより前記第一底縁部に突き合わされる第二底縁部とを有する。
【０００９】
（２）上記（１）に係る車両用の電気接続箱の一形態として、前記ケーブルが、車載電池から前記電気機器に電力を供給する電力ケーブルである構成が挙げられる。
【００１０】
（３）上記（１）又は（２）に係る車両用の電気接続箱の一形態として、前記電気接続箱がリレーボックス、ヒューズボックス、又はジャンクションボックスである構成が挙げられる。
【００１１】
（４）上記（１）から（３）のいずれかに係る車両用の電気接続箱の一形態として、
前記切欠部は、前記ケースを構成する壁部のうち、稜線を介して隣り合う複数の壁部に跨って形成され、
前記部分カバーは、前記切欠部に対応した屈曲形状である構成が挙げられる。
【００１２】
（５）上記（１）から（４）のいずれかに係る車両用の電気接続箱の一形態として、
前記切欠部に臨む内周縁部は、前記第一側縁部の両端部のうち、前記第一底縁部とは反対側の端部から延設されると共に、前記内周縁部の厚み方向の一方に偏在される第一薄肉側縁部を有し、
前記部分カバーは、前記第二側縁部の各々の他端側から延設されると共に、前記第二側縁部を前記第一側縁部にスライドして嵌合した際、前記部分カバーの厚み方向の他方に偏在され、前記第一薄肉側縁部に対向する第二薄肉側縁部を有する構成が挙げられる。
【００１３】
（６）上記（５）に係る車両用の電気接続箱の一形態として、
前記第一底縁部は、その厚み方向の一方に偏在される第一薄肉底縁部を有し、
前記第二底縁部は、前記第二側縁部を前記第一側縁部にスライドして嵌合した際、前記部分カバーの厚み方向の一方に偏在され、前記第一薄肉底縁部に対向する第二薄肉底縁部を有し、
前記第一薄肉側縁部及び前記第一薄肉底縁部が、互いに前記内周縁部の厚み方向の異なる方向に偏在され、
前記第二薄肉側縁部及び前記第二薄肉底縁部が、互いに前記部分カバーの厚み方向の異なる方向に偏在される構成が挙げられる。
【発明の効果】
【００１４】
上記(１)に係る構成によれば、ケースの切欠部に臨む内周縁部が、部分カバーのスライド方向の最大長さよりも短い第一側縁部を有し、部分カバーが、第一側縁部と嵌合される第二側縁部を有する。一方、第一側縁部の一端同士を繋ぐ第一底縁部と、第二側縁部の一端同士を繋ぐ第二底縁部とは、第一側縁部と第二側縁部の嵌合によって互いに突き合わされる。よって、部分カバーの切欠部への嵌合は、部分カバーの上記最大長さよりも短いスライド長で行うことができ、当該最大長さの全長に亘って部分カバーをスライドさせる必要がない。スライド長の短縮化に伴い、ケーブルの余長を長く見込む必要がなく、部分カバーのケースへの組立作業性に優れる。
【００１５】
上記（２）に係る構成によれば、上記ケーブルが、車載電池から上記電気機器に電力を供給する電力ケーブルであって、太く剛性の高いケーブルであっても、部分カバーのストローク長が短いため、電気接続箱の組立作業性に優れる。
【００１６】
上記(３)に係る構成によれば、リレーボックス、ヒューズボックス、又はジャンクションボックスとして実施形態に係る電気接続箱を好適に利用することができる。
【００１７】
上記（４）に係る構成によれば、切欠部がケースを構成する複数の壁部に亘って形成されている場合でも、部分カバーのスライド方向の最大長よりも短いスライド長で切欠部に部分カバーを嵌め込むことができる。
【００１８】
上記（５）に係る構成によれば、壁部のうち、切欠部に臨む内周縁部は、第一薄肉側縁部、第一側縁部、及び第一底縁部を有し、部分カバーの側縁は、第二薄肉側縁部、第二側縁部、第二底縁部を有する。つまり、切欠部に臨む内周縁部が第一側縁部と第一底縁部のみからなり、部分カバーの側縁が第二側縁部と第二底縁部のみからなる場合に比べて第一側縁部及び第二側縁部を短くできる。よって、上記（１）の形態によりも一層短いスライド長で部分カバーを切欠部に嵌め込むことができる。また、第一薄肉側縁部と第二薄肉側縁部は、互いに部分カバーの厚み方向に対向する状態に突き合わされるため、両薄肉側縁部同士の界面が段差状に形成され、この界面から電気接続箱内部への浸水を抑制し易い。
【００１９】
上記（６）の構成によれば、第一底縁部は、その厚み方向の一方に偏在される第一薄肉底縁部を有し、第二底縁部は、部分カバーの厚み方向の他方に偏在される第二薄肉底縁部を有する。一方、第一側縁部(第二側縁部)の他端側には第一薄肉側縁部（第二薄肉側縁部）が設けられている。そして、第一薄肉側縁部及び第一薄肉底縁部が、互いに切欠部に臨む内周縁部の厚み方向の異なる方向に偏在され、第二薄肉側縁部及び第二薄肉底縁部が、互いに部分カバーの厚み方向の異なる方向に偏在される。そのため、ケースに組み付けた部分カバーの内外のいずれから外力が作用しても、互いに部分カバーの厚み方向に対向する第一薄肉底縁部と第二薄肉底縁部又は第一薄肉側縁部と第二薄肉側縁部の一方の組み合わせが外力により互いを押圧し合うため、部分カバーをケースに対して強固に組み付けることができる。
【図面の簡単な説明】
【００２０】
【図１】実施形態１に係る電気接続箱の概略斜視図である。
【図２】実施形態１におけるケースと部分カバーの分解斜視図であり、上図は電気接続箱の奥行方向手前側の斜め上方から俯瞰する分解斜視図、下図は電気接続箱の奥行方向奥側の斜め上方から俯瞰する分解斜視図である。
【図３】（Ａ）〜（Ｃ）の各図は、図１のＡ-Ａ、Ｂ-Ｂ、Ｃ-Ｃの矢視断面図、（Ｄ）は実施形態３に係る電気接続箱の第一薄肉側縁部と第二薄肉側縁部との係合状態を示す断面図である。
【図４】実施形態２に係る電気接続箱の概略斜視図である。
【発明を実施するための形態】
【００２１】
以下、図面を参照して、本発明の実施の形態を説明する。なお、この実施の形態はすべての点で例示であって、制限的なものではないと考えられるべきである。本発明の範囲は実施の形態ではなく特許請求の範囲によって示され、特許請求の範囲と均等の意味、および範囲内でのすべての変更が含まれることが意図される。
【００２２】
[実施形態１]
図１〜図３に基づいて実施形態１に係る電気接続箱１Ａを説明する。図２において、説明の便宜上、ケース１０と部分カバー２０のみを示し、ケーブル３０や端子台２６は省略している。図３においては、電気接続箱の内側をＩＮ、電気接続箱の外側をＯＵＴとして示している。各図において、Ｈは高さ方向、Ｗは幅方向、Ｄは奥行方向を示し、各方向に沿った各部の寸法を高さ、幅、奥行ということがある。また、各図において、同一又は対応する部材には同じ符号を付している。
【００２３】
（概要）
実施形態１の電気接続箱１Ａは、電気機器４０の収納空間を形成する複数の壁部１０ｗと、少なくとも一つの壁部１０ｗに形成された切欠部１１とを有する容器状のケース１０と、切欠部１１にスライドにより嵌合されることで切欠部１１を塞ぐ部分カバー２０とを有する(図２)。この電気接続箱１Ａの特徴の一つは、部分カバー２０の切欠部１１への嵌合構造を特定の構造としたことにある。以下、各構成を詳細に説明する。
【００２４】
（ケース）
ケース１０は、上方に開口部１０ｈを有する容器状の部材である(図１)。ケース１０の内部には、リレーボックスの場合はリレー、ヒューズボックスの場合はヒューズなど、電気接続箱１Ａの用途に応じた電気機器４０の収納空間が形成される。電気機器４０は図２において二点鎖線で仮想的に示す。ケース１０の構成材料には、絶縁材料、例えばプラスチックが好適に利用できる。本例では、５面の壁部１０ｗを組み合わせて直方体状のケース１０をプラスチックの成形により構成している。各壁部１０ｗは、一つの底面と四つの側面とを有し、底面と三つの側面はいずれも矩形で、他の一つの側面は切欠部１１が形成された矩形状である。切欠部１１は、開口部１０ｈに面する壁部１０ｗの上縁部１２Ｕから下方に向かって側面を切り欠いた領域である。切欠部１１の形状は特に問わないが、開口部１０ｈに面した上方の幅が広く、その反対側の下方の幅が狭くなっている構成であればよい。本例では、矩形の一端（図１の下端）に台形を連結した六角形状の切欠部１１としている。その他、Ｕ状の切欠部１１であってもよい。つまり、切欠部１１の形状は、次述する第一側縁部１２Ｓの形成される領域の幅よりも第一底縁部１２Ｂの形成される領域の幅の方が狭い形状とする。
【００２５】
《第一側縁部と第一底縁部》
切欠部１１が形成された壁部１０ｗのうち、切欠部１１を臨む内周縁部には、第一側縁部１２Ｓと第一底縁部１２Ｂとが形成されている（図１、図２）。
【００２６】
第一側縁部１２Ｓは、互いに平行に配置されると共に、部分カバー２０のスライド方向の最大長さよりも短い長さを有する一対の直線状の縁部である。この最大長さとは、部分カバー２０の上縁部２２Ｕから最も離れた下縁部２２Ｌまでの距離Ｌ（図２の上図）である。この第一側縁部１２Ｓには、後述する部分カバー２０の第二側縁部２２Ｓがスライドにより嵌合される。そのため、第一側縁部１２Ｓが部分カバー２０の最大長さよりも短いと、部分カバー２０を切欠部１１に嵌めこむためのスライド長を上記最大長さよりも短くできる。この第一側縁部１２Ｓの長さは、上記最大長さの２／３以下、より好ましくは１／２以下、さらに好ましくは１／３以下とすることが挙げられる。
【００２７】
第一側縁部１２Ｓの形成範囲は、切欠部１１を臨む内周縁部の上方側であれば、ケース１０の開口部１０ｈ（上縁部１２Ｕ）に繋がっていても繋がっていなくてもよい。本例では、第一側縁部１２Ｓは、ケース１０の開口部１０ｈから切欠部１１におけるケース１０の高さ方向の途中までの範囲に形成されている。つまり、第一側縁部１２Ｓの上端はケース１０の上縁部１２Ｕに繋がり、下端は後述する第一底縁部１２Ｂに繋がっている。
【００２８】
第一側縁部１２Ｓの横断面形状は、第一側縁部１２Ｓの長手方向に沿って部分カバー２０の第二側縁部２２Ｓを嵌め込むことができ、部分カバー２０がその厚み方向に外れない形状であれば、特に限定されない。本例の第一側縁部１２Ｓは、横断面形状が矩形の突条として構成されている（図３（Ａ））。その他、第一側縁部１２Ｓは、横断面形状がＵ字状の突条としたり、横断面形状が矩形やＵ状の凹溝としたりすることが挙げられる。
【００２９】
第一側縁部１２Ｓの一端側（図１の下方）には、第一側縁部１２Ｓの一端同士を、その一端側に突出するように繋ぐ第一底縁部１２Ｂが設けられている。第一底縁部１２Ｂは、後述する部分カバー２０の第二側縁部２２Ｓをケース１０の第一側縁部１２Ｓにスライドして嵌め込んだ際、部分カバー２０の第二底縁部２２Ｂに突き合わされる。第一底縁部１２Ｂの長手方向の具体的形態としては、第一側縁部１２Ｓの一端同士を折れ線状に繋いだり、曲線状に繋いだりすることが挙げられる。本例では、一方の第一側縁部１２Ｓの下端から下方に向かうに従って他方の第一側縁部１２Ｓに近づく斜辺１２ｏと、他方の第一側縁部１２Ｓの下端から下方に向かうに従って一方の第一側縁部１２Ｓに近づく斜辺１２ｏと、両斜辺１２ｏの下端をつなぐ水平の底辺１２ｈとを備える折れ線状の第一底縁部１２Ｂである(図２の上図)。
【００３０】
第一底縁部１２Ｂの横断面形状は、部分カバー２０を切欠部１１に嵌め込んだ際、後述する部分カバー２０の第二底縁部２２Ｂと切欠部１１を臨む内周縁部との界面が、単一の平面で電気接続箱１Ａの内外を繋がない形状とすることが好適である。この界面からの浸水を抑制し易いからである。電気接続部の界面の第一側縁部１２Ｓと同様に、上記横断面形状は矩形やＵ字状の突条や凹溝で構成することが挙げられる。第一側縁部１２Ｓの横断面形状と第一底縁部１２Ｂの横断面形状とは同じであっても異なっていてもよい。本例では、第一底縁部１２Ｂは、内周縁部（壁部１０ｗ）の厚み方向の一方に偏在する第一薄肉底縁部１２ｂとして構成されている（図２、図３（Ｂ），（Ｃ））。第一薄肉底縁部１２ｂは、後述する部分カバー２０の第二薄肉底縁部２２ｂとその厚み方向に対向される。本例では、壁部１０ｗの厚みの半分の厚さを有する第一薄肉底縁部１２ｂとしている。第一薄肉底縁部１２ｂにより、部分カバー２０と切欠部１１を臨む内周縁部との界面は段差形状に構成され、電気接続箱１Ａの外部から内部に界面を介して浸水することを抑制し易い。また、本例では、電気接続箱１Ａの内側に第一薄肉底縁部１２ｂを偏在させているが、逆に電気接続箱１Ａの外側に第一薄肉底縁部１２ｂを偏在させてもよい。
【００３１】
なお、第一薄肉底縁部１２ｂのうち、第一側縁部１２Ｓとの接続箇所は、図２に示すように、第一側縁部１２Ｓの突条の下端部と第一薄肉底縁部１２ｂの上端部とが部分的に重なった箇所がある。つまり、第一薄肉底縁部１２ｂの上端部は、他の箇所に比べて若干厚く構成されている。
【００３２】
（部分カバー）
部分カバー２０は、ケース１０の切欠部１１にスライドにより嵌め込まれることで切欠部１１を塞ぐ。
【００３３】
部分カバー２０の材質もケース１０と同様、絶縁材料が好適に利用できる。本例ではプラスチックの成形により部分カバー２０を構成している。
【００３４】
部分カバー２０の形状や大きさは、切欠部１１の形状や大きさに対応した形状と大きさであればよい。本例の部分カバー２０は、矩形の一端（図１、図２の下端）に台形を連結した六角形状の平板部材であり、ケース１０の壁部１０ｗと同じ厚みとしている。部分カバー２０を切欠部１１に嵌め込むことで、切欠部１１を有する壁部１０ｗと部分カバー２０とは面一となる。この部分カバー２０の形状は、次述する第二側縁部２２Ｓの形成される領域の幅よりも第二底縁部２２Ｂの形成される領域の幅の方が狭い形状とする。
【００３５】
《第二側縁部と第二底縁部》
部分カバー２０は、第二側縁部２２Ｓと、第二底縁部２２Ｂとを備えている。
【００３６】
第二側縁部２２Ｓは、互いに平行に配置されると共に、第一側縁部１２Ｓにスライドにより嵌合される直線状の縁部である。第二側縁部２２Ｓの長さは、第一側縁部１２Ｓの長さに対応している。第二側縁部２２Ｓの形成範囲も第一側縁部１２Ｓの形成範囲に対応するように設けられる。即ち、第二側縁部２２Ｓの長さは、部分カバー２０のスライド方向の最大長さの２／３以下、より好ましくは１／２以下、さらに好ましくは１／３以下とすることが挙げられる。第二側縁部２２Ｓ（第一側縁部１２Ｓ）の長さが短いほど部分カバー２０を切欠部１１に嵌め込みやすく、長いほど部分カバー２０をその厚み方向にずれ難い状態で切欠部１１に嵌め込むことができる。
【００３７】
本例では、部分カバー２０の上縁部２２Ｕから下方に向かって部分カバー２０の高さ方向の途中にまで第二側縁部２２Ｓが形成されている。第二側縁部２２Ｓの横断面形状は、第一側縁部１２Ｓとスライドにより嵌合する形状とする。本例では、第一側縁部１２Ｓは、その横断面形状が矩形の突条であるため、第二側縁部２２Ｓは、その横断面形状を矩形の凹溝としている。つまり、部分カバー２０を切欠部１１に嵌め込むと、第二側縁部２２Ｓを構成する凹溝内に第一側縁部１２Ｓの突条が挟まれるように嵌め込まれる。
【００３８】
第二底縁部２２Ｂは、部分カバー２０の切欠部１１への嵌め込みにより第一底縁部１２Ｂに突き合わされる縁部である。第二底縁部２２Ｂの横断面形状は、第一底縁部１２Ｂに対応した形状で、部分カバー２０を切欠部１１に嵌め込んだ際、第一底縁部１２Ｂと突き合わされることで面接触される形状であればよい。本例では、第二底縁部２２Ｂは、部分カバー２０の厚み方向の一方に偏在する第二薄肉底縁部２２ｂとして構成されている（図２、図３（Ｂ），（Ｃ））。第二薄肉底縁部２２ｂは、ケース１０の第一薄肉底縁部１２ｂとその厚み方向に対向される。本例では、部分カバー２０の厚みの半分の厚さを有する第二薄肉底縁部２２ｂとしている。第二薄肉底縁部２２ｂにより、部分カバー２０と切欠部１１を臨む内周縁部との界面は段差形状に構成され、電気接続箱１Ａの外部から内部に界面を介して浸水することを抑制し易い。また、本例では、電気接続箱１Ａの外側となる部分カバー２０の一面側に第二薄肉底縁部２２ｂを偏在させているが、逆に電気接続箱１Ａの内側となる部分カバー２０の他面に第二薄肉底縁部２２ｂを偏在させてもよい。
【００３９】
第二底縁部２２Ｂが第二側縁部２２Ｓに連続する突条又は凹溝であれば、電気接続箱１Ａの内外のいずれからの外力に対しても部分カバー２０がその厚み方向にずれ難く、部分カバー２０と切欠部１１の界面からの浸水をより抑制し易い。
【００４０】
なお、第二底縁部２２Ｂのうち、第二側縁部２２Ｓとの接続箇所は、第二側縁部２２Ｓの凹溝の下端部が第二薄肉底縁部２２ｂの上端部に重なっている。その結果、第二薄肉底縁部２２ｂの上端部は、他の箇所に比べてさらに薄肉となっている。
【００４１】
（その他の構成）
部分カバー２０には、ケーブル３０の貫通孔２４(図１、図２)が形成されている。このケーブル３０は、ケース１０内に収納される電気機器４０に接続される。本例では、ケーブル３０として、図示しない車載電池から電気機器４０に電力を供給する電力ケーブルが貫通孔２４に挿通される。貫通孔２４とケーブル３０との間には、通常、グロメットが介在され、貫通孔２４とケーブル３０との間の止水と保護を行う。貫通孔２４の断面形状はケーブル３０の断面形状に対応した形状が好適で、本例では円孔である。
【００４２】
部分カバー２０には端子台２６も設けられている（図１）。端子台２６は、貫通孔２４を介してケース１０の外部から内部に導入されたケーブル３０の端末を接続する端子２８が固定される箇所である。本例では、部分カバー２０の上縁部２２Ｕ近傍であって、部分カバー２０を切欠部１１に嵌め込んだ際、ケース１０の内側となる側に端子台２６が形成されている。この端子台２６は、部分カバー２０と一体に成形される。端子２８は、ケーブル３０の端末と接続されると共に、他の電線を介して電気機器４０と接続するための金属部材である。端子２８は、端子台２６にインサート成形で一体化したり、端子台２６に後付けで取り付けたりされる。
【００４３】
（組立手順と嵌合状態）
ケース１０と部分カバー２０との組立手順と嵌合状態を説明する。
【００４４】
図２に示すように、部分カバー２０の第二側縁部２２Ｓの下端がケース１０の第一側縁部１２Ｓの上端よりも上方となるように部分カバー２０を位置させる。このとき、第一底縁部１２Ｂと第二底縁部２２Ｂとの間には隙間が形成される。
【００４５】
その状態から部分カバー２０を下方に押し下げて、第二側縁部２２Ｓを構成する凹溝を第一側縁部１２Ｓを構成する突条に嵌め込む。その際、突条の外周面は凹溝の内周面に面接触する（図３（Ａ））。
【００４６】
第一側縁部１２Ｓと第二側縁部２２Ｓとが嵌合された状態で部分カバー２０をさらに下方にスライドさせ、第二底縁部２２Ｂを第一底縁部１２Ｂに突き合わせる。その結果、第一薄肉底縁部１２ｂと第二薄肉底縁部２２ｂは、その厚み方向に対向される（図３（Ｂ），（Ｃ））。
【００４７】
（効果）
実施形態１に係る電気接続箱１Ａによれば、次の効果を奏することができる。
【００４８】
（１）ケース１０の第一側縁部１２Ｓと部分カバー２０の第二側縁部２２Ｓが、部分カバー２０の高さ方向の最大長さよりも短いため、部分カバー２０を切欠部１１に嵌め込む際のスライド長を上記最大長さよりも短くできる。よって、電気接続箱１Ａの組立作業性を向上できる。
【００４９】
（２）部分カバー２０のスライド長が上記最大長さよりも短いため、部分カバー２０を切欠部１１に嵌め込む際、第二側縁部２２Ｓの下端を第一側縁部１２Ｓの上端よりも上方に位置させればよく、部分カバー２０の下縁部２２Ｌを第一側縁部１２Ｓの上端よりも上方に位置させる必要がない。そのため、部分カバー２０の組み付け時の取り回し距離が短く、ケーブル３０の余長も上記取り回し距離に応じた短いものでよい。よって、電気接続箱１Ａの軽量化や低コスト化が実現できる。
【００５０】
（３）特に、部分カバー２０の組み付け時の取り回し距離が短いことで、ケーブル３０が太く剛性の高いものであっても、部分カバー２０を切欠部１１に嵌め込む際の組立作業性に優れる。
【００５１】
[実施形態２]
次に、図４に基づいて実施形態２の電気接続箱１Ｂを説明する。この電気接続箱１Ｂは、切欠部１１及び部分カバー２０がケース１０を構成する複数の面に亘って形成されている点が実施形態１と異なり、他の構成は実施形態１と共通であるため、主に相違点を説明し、共通点の説明は省略する。
【００５２】
図４に示すように、実施形態２の電気接続箱１Ｂは、ケース１０を構成する複数の面のうち、稜線を介して隣り合う複数の壁部１０ｗに跨って形成される切欠部１１を有する。一方、部分カバー２０は、切欠部１１に対応した屈曲形状である。より具体的には、ケース１０を構成する壁部１０ｗのうち、稜線を介して隣り合う２つの壁部１０ｗの一部に切欠部１１が設けられている。この切欠部１１も、実施形態１と同様に、ケース１０の開口部１０ｈ側（上方）の幅が広く、底部側（下方）の幅が狭い。切欠部１１の内周縁部のうち、上方側には互いに平行に配置された第一側縁部１２Ｓが形成され、下方側には第一側縁部１２Ｓの一端（下端）同士を繋ぐ第一底縁部１２Ｂが形成されている。
【００５３】
一方、部分カバー２０は、上記切欠部１１に対応した屈曲板状の部材で、本例ではほぼ直角のＶ状に屈曲された２面から構成される。部分カバー２０の上縁以外の周縁は、互いに平行に配置される第二側縁部２２Ｓと、側縁部の一端（下端）同士を繋ぐ第二底縁部２２Ｂとを備えている。
【００５４】
第一側縁部１２Ｓ及び第二側縁部２２Ｓは互いにスライドにより嵌合され、実施形態１と同様の横断面形状である。両側縁部は、部分カバー２０の上縁部２２Ｕから最も離れた下縁部２２Ｌまでの距離（最大長さ）よりも短い。第一底縁部１２Ｂ及び第二底縁部２２Ｂは、部分カバー２０のスライドにより互いに当接される第一薄肉底縁部１２ｂ及び第二薄肉底縁部２２ｂとして構成されている。
【００５５】
実施形態２の電気接続箱１Ｂにおいても、部分カバー２０が複数面で構成されていても、第一側縁部１２Ｓ及び第二側縁部２２Ｓが上記最大長さよりも短いため、部分カバー２０を上記最大長さよりも短いスライド長で切欠部１１に嵌め込むことができる。
【００５６】
[実施形態３]
実施形態１及び実施形態２では第一側縁部１２Ｓの上端がケース１０の開口部１０ｈに繋がり、第二側縁部２２Ｓの上端が部分カバー２０の上縁部２２Ｕに繋がる構成について説明したが、第一側縁部１２Ｓ（第二側縁部２２Ｓ）の上端側にさらに第一薄肉側縁部（第二薄肉側縁部）を有する電気接続箱を説明する（全体図は図示略）。この実施形態３も第一薄肉側縁部（第二薄肉側縁部）を有する点が実施形態１と異なり、他の構成は実施形態１と共通であるため、共通点の概要については図１、図２及び図３（Ａ）〜図３（Ｃ）を参照して説明し、相違点については図３（Ｄ）を参照して説明する。
【００５７】
第一薄肉側縁部は、切欠部１１に臨む内周縁部において、第一側縁部１２Ｓの両端部のうち、第一底縁部１２Ｂとは反対側の端部（上端）から延設されると共に、内周縁部の厚み方向の一方に偏在される一対の縁部である。
【００５８】
第二薄肉側縁部は、部分カバー２０において、第二側縁部２２Ｓの各々の他端側（上端側）から延設されると共に、第二側縁部２２Ｓを第一側縁部１２Ｓにスライドして嵌合した際、部分カバー２０の厚み方向の他方に偏在され、第一薄肉側縁部の各々に対向する縁部である。
【００５９】
第一薄肉側縁部（第二薄肉側縁部）は、ケース１０の開口部１０ｈ（部分カバー２０の上縁）に繋がる。第一薄肉側縁部（第二薄肉側縁部）の各々を構成する一対の側縁部は、第一側縁部１２Ｓ（第二側縁部２２Ｓ）に対応した間隔で平行に配置されていてもよいし、第一側縁部１２Ｓ（第二側縁部２２Ｓ）に対応した間隔よりも広い間隔で上方に向かって広がるように配置されていてもよい。切欠部１１に対して部分カバー２０を嵌め込むことができれば、第一薄肉側縁部（第二薄肉側縁部）の延伸方向は問わない。
【００６０】
本例の第一薄肉側縁部（第二薄肉側縁部）は、壁部１０ｗ（部分カバー２０）の厚みの半分の厚さを有する。よって、部分カバー２０を切欠部１１に嵌め込んだ際、第一薄肉側縁部と第二薄肉側縁部とは互いに対向することで壁部１０ｗ（部分カバー２０）の厚みに対応する。
【００６１】
実施形態３の電気接続箱は、実施形態１における第一薄肉底縁部１２ｂ（第二薄肉底縁部２２ｂ）を有する。そして、第一薄肉側縁部及び第一薄肉底縁部１２ｂが、互いに切欠部１１に臨む内周縁部の厚み方向の異なる方向に偏在され、第二薄肉側縁部及び第二薄肉底縁部２２ｂが、互いに部分カバー２０の厚み方向の異なる方向に偏在される。本例では、第一薄肉側縁部１２ｓがケース１０の外側に偏在し（図３（Ｄ）参照）、第一薄肉底縁部１２ｂがケース１０の内側に偏在する（図３（Ｂ），（Ｃ）参照）。また、第二薄肉側縁部２２ｓは、部分カバー２０のうち、ケース１０の内側となる面側に偏在し（図３（Ｄ）参照）、第二薄肉底縁部２２ｂは、部分カバー２０のうち、ケース１０の外側となる面側に偏在する（図３（Ｂ），（Ｃ）参照）。これら薄肉縁部が偏在する厚み方向の関係は逆であっても構わない。
【００６２】
実施形態３の電気接続箱によれば、実施形態１の効果に加え、次の効果を奏する。
（１）実施形態１よりもさらに短いスライド長で部分カバー２０をケース１０の切欠部１１に嵌め込むことができる。第一側縁部１２Ｓ（第二側縁部２２Ｓ）の下方に第一薄肉底縁部１２ｂ（第二薄肉底縁部２２ｂ）を有し、さらに第一側縁部１２Ｓ（第二側縁部２２Ｓ）の上方に第一薄肉側縁部１２ｓ（第二薄肉側縁部２２ｓ）を有するため、第一側縁部１２Ｓ（第二側縁部２２Ｓ）の長さを短くできるからである。
（２）ケース１０に組み付けた部分カバー２０の内外のいずれから外力が作用しても、部分カバー２０が厚み方向にずれ難い。互いに部分カバー２０の厚み方向に対向する第一薄肉側縁部と第二薄肉側縁部又は第一薄肉底縁部１２ｂと第二薄肉底縁部２２ｂの一方の組み合わせが外力により互いを押圧し合うためである。よって、部分カバー２０をケース１０に対してより強固に組み付けることができる。特に、実施形態１よりもスライド長を短くしながらも、部分カバー２０の厚み方向へのずれを効果的に抑制できる。
【００６３】
実施形態３における第一薄肉側縁部１２ｓ（第二薄肉側縁部２２ｓ）の構成は実施形態２においても適用することができる。
【符号の説明】
【００６４】
１Ａ、１Ｂ  電気接続箱
１０  ケース
１０ｈ  開口部
１０ｗ  壁部
１１  切欠部
１２Ｕ  上縁部
１２Ｓ  第一側縁部
１２ｓ  第一薄肉側縁部
１２Ｂ  第一底縁部
１２ｂ  第一薄肉底縁部
１２ｏ  斜辺
１２ｈ  底辺
２０  部分カバー
２２Ｕ  上縁部
２２Ｓ  第二側縁部
２２ｓ  第二薄肉側縁部
２２Ｂ  第二底縁部
２２ｂ  第二薄肉底縁部
２２Ｌ  下縁部
２４  貫通孔
２６  端子台
２８  端子
３０  ケーブル
４０  電気機器
【図１】
2019161926.tif 000003
【図２】
2019161926.tif 000004
【図３】
2019161926.tif 000005
【図４】
2019161926.tif 000006